(57)【要約】【課題】白紙ページを除いて原稿を電子ファイルに変換した場合に、白紙と判定されたページのうち、指定されたページを電子ファイルに挿入する。【解決手段】白紙除去処理部１１１は、原稿を読み取ってページ毎に白紙か否かを判定し、白紙と判定した白紙判定ページを除いて原稿を電子ファイルに変換する。白紙判定ページの復元指示があった場合には、挿入ページ受付部１１２が電子ファイルに挿入するページの指定を受け付ける。白紙復元処理部１１３は、挿入ページ受付部１１２により受け付けられたページが白紙判定ページである場合に、挿入ページ受付部１１２により受け付けられたページの原稿のページ番号に対応して、挿入ページ受付部１１２により受け付けられたページの原稿を電子ファイル形式に変換して電子ファイルのページ間に挿入する。【選択図】図２
2016051969.tif 000002
【特許請求の範囲】
【請求項１】
原稿を読み取ってページ毎に白紙か否かを判定し、白紙と判定した白紙判定ページを除いて前記原稿を電子ファイルに変換する白紙除去処理部と、
前記白紙判定ページに対する復元指示があった場合に、前記電子ファイルに挿入するページの指定を受け付ける挿入ページ受付部と、
前記挿入ページ受付部により受け付けられたページが前記白紙判定ページである場合に、前記挿入ページ受付部により受け付けられたページの前記原稿のページ番号に対応して、前記挿入ページ受付部により受け付けられたページの原稿を電子ファイル形式に変換して、前記電子ファイルのページ間に挿入する白紙復元処理部と
を備えたことを特徴とする画像読取装置。
【請求項２】
前記挿入ページ受付部は、
前記電子ファイルに挿入するページを再読み取りすることにより、前記電子ファイルに挿入するページの指定を受け付ける
ことを特徴とする請求項１に記載の画像読取装置。
【請求項３】
前記白紙除去処理部は、
前記白紙判定ページの画像と、前記白紙判定ページの原稿ページ番号と、前記電子ファイルに変換された各ページの前記原稿ページ番号とを関連づけて保存し、
前記白紙復元処理部は、
挿入ページ受付部により受け付けられたページの画像と保存された前記白紙判定ページの画像とを照合し、前記挿入ページ受付部により受け付けられたページの画像に一致した白紙判定ページの画像があった場合に、前記一致した白紙判定ページの画像の前記原稿ページ番号と前記電子ファイルに変換された各ページの前記原稿ページ番号とに基づいて、前記挿入ページ受付部により受け付けられたページの画像を前記電子ファイル形式に変換して、前記電子ファイルのページ間に挿入する
ことを特徴とする請求項１又は２に記載の画像読取装置。
【請求項４】
前記白紙復元処理部は、
前記挿入ページ受付部により受け付けられたページの画像を前記電子ファイル形式に変換して前記電子ファイルのページ間に挿入すると、不要になった前記白紙判定ページの画像と、前記白紙判定ページの原稿ページ番号と、前記電子ファイルに変換された各ページの前記原稿ページ番号とを削除する
ことを特徴とする請求項１から３までのいずれか１項に記載の画像読取装置。
【請求項５】
前記白紙除去処理部は、
前記白紙判定ページの原稿ページ番号を通知する
ことを特徴とする請求項１から４までのいずれか１項に記載の画像読取装置。
【請求項６】
請求項１から５までのいずれか１項に記載の画像読取装置を備えたことを特徴とする画像形成装置。
【発明の詳細な説明】
【技術分野】
【０００１】
本発明は、原稿を読み取って白紙ページを除いて原稿を電子ファイルに変換することができる画像読取装置及び画像形成装置に関する。
【背景技術】
【０００２】
スキャナー等の画像読取装置を備えた画像形成装置では、読み取った原稿の各ページにおける黒画素の割合に基づいて、白紙ページか否かを判定し、白紙ページがある場合には原稿から白紙ページを除いて電子ファイルに変換できるものがある（例えば、特許文献１、２を参照）。特許文献１、２の技術では、白紙ページを除いて作成された電子データに原稿の並び順と表裏の別とページの並び順とを属性情報として付与している。そして、特許文献１、２の技術では、この属性情報に基づいて、白紙ページを除いて作成された電子データから原本と全く同じように白紙ページが挿入されたページ構成を復元することができる。
【先行技術文献】
【特許文献】
【０００３】
【特許文献１】特開2012-186862号公報
【特許文献２】特開2010-258698号公報
【発明の概要】
【発明が解決しようとする課題】
【０００４】
ところで、従来の技術では、各ページにおける黒画素数の割合に基づいて白紙ページか否かが判定されるため、実際には文字が書かれていても文字数が少なかったりすると白紙ページと誤判定されてしまい、そのページが電子ファイルに含まれないという問題があった。しかしながら、従来の技術では、白紙ページと判定された全てのページが電子ファイルに挿入されて復元されてしまい、白紙と誤判定されたページのみを電子ファイルに挿入して復元することができないという問題があった。
【０００５】
本発明は上記課題に鑑みてなされたものであり、上記課題を解決することができる技術を提供することを目的とする。
【課題を解決するための手段】
【０００６】
本発明の画像読取装置は、原稿を読み取ってページ毎に白紙か否かを判定し、白紙と判定した白紙判定ページを除いて前記原稿を電子ファイルに変換する白紙除去処理部と、前記白紙判定ページに対する復元指示があった場合に、前記電子ファイルに挿入するページの指定を受け付ける挿入ページ受付部と、前記挿入ページ受付部により受け付けられたページが前記白紙判定ページである場合に、前記挿入ページ受付部により受け付けられたページの前記原稿のページ番号に対応して、前記挿入ページ受付部により受け付けられたページの原稿を電子ファイル形式に変換して、前記電子ファイルのページ間に挿入する白紙復元処理部とを備えたことを特徴とする。
また、前記挿入ページ受付部は、前記電子ファイルに挿入するページを再読み取りすることにより、前記電子ファイルに挿入するページの指定を受け付けてもよい。
また、前記白紙除去処理部は、前記白紙判定ページの画像と、前記白紙判定ページの原稿ページ番号と、前記電子ファイルに変換された各ページの前記原稿ページ番号とを関連づけて保存し、前記白紙復元処理部は、挿入ページ受付部により受け付けられたページの画像と保存された前記白紙判定ページの画像とを照合し、前記挿入ページ受付部により受け付けられたページの画像に一致した白紙判定ページの画像があった場合に、前記一致した白紙判定ページの画像の前記原稿ページ番号と前記電子ファイルに変換された各ページの前記原稿ページ番号とに基づいて、前記挿入ページ受付部により受け付けられたページの画像を前記電子ファイル形式に変換して、前記電子ファイルのページ間に挿入してもよい。
また、前記白紙復元処理部は、前記挿入ページ受付部により受け付けられたページの画像を前記電子ファイル形式に変換して前記電子ファイルのページ間に挿入すると、不要になった前記白紙判定ページの画像と、前記白紙判定ページの原稿ページ番号と、前記電子ファイルに変換された各ページの前記原稿ページ番号とを削除してもよい。
また、前記白紙除去処理部は、前記白紙判定ページの原稿ページ番号を通知してもよい。
本発明の画像形成装置は、上記に記載の画像読取装置を備えたことを特徴とする。
【発明の効果】
【０００７】
本発明によれば、原稿を読み取ってページ毎に白紙か否かを判定し、白紙と判定したページを除いて原稿を電子ファイルに変換した場合に、白紙ページと判定されたページのうち、指定されたページを電子ファイルに挿入することができる技術を提供できる。
【図面の簡単な説明】
【０００８】
【図１】本発明に係る実施形態の画像形成装置の断面模式図である。
【図２】図１に示す画像形成装置の概略制御構成を示すブロック図である。
【図３】図２に示すＰＤＦ変換処理部の処理の流れを示すフローチャートである。
【図４】図２に示すＰＤＦ変換処理部の処理の流れを示すフローチャートである。
【図５】白紙と判定されたページの原稿ページ番号が通知される画面例である。
【発明を実施するための形態】
【０００９】
次に、本発明の実施の形態を、図面を参照して具体的に説明する。
本発明の実施の形態の画像形成装置１００は、複写機能、印刷機能、スキャナー機能等を有する複合機であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。
【００１０】
画像形成装置１００の手前側には、画像形成装置１００の設定や動作指示を行う操作パネル４が配設されている。操作パネル４は、タッチパネル４１、操作ボタン４２が設けられている。ユーザーは操作パネル４を操作して指示を入力することで、画像形成装置１００の各種の設定を行い、画像形成等の各種機能を実行させる。タッチパネル４１は、操作入力を受け付ける各種操作キーを表示する表示部の表示面に設けられ、操作者の指先やスタイラス等の押圧による入力を検知し、入力が検知された位置に対応する信号を出力することで、表示部に表示された操作キーへの操作を受け付ける。操作ボタン４２としては、画像形成を開始するようにユーザーが指示するスタートボタン、画像形成を中止する際等に使用するストップ／クリアボタン、画像形成装置１００の各種設定をデフォルト状態にする際に使用するリセットボタン、テンキー等が設けられている。
【００１１】
原稿読取部１２０は、スキャナー１２１と、プラテンガラス１２２と、原稿読取スリット１２３とを備えている。スキャナー１２１は、露光ランプ及びＣＣＤ（Charge Coupled Device）センサー等から構成され、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１２】
原稿給送部１３０は、可倒式に構成され、原稿給送部１３０を上方に持ち上げることで、プラテンガラス１２２の上面を開放させ、原稿ＭＳをプラテンガラス１２２に載置することができる。プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データを取得する。
【００１３】
また、原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データを取得する。
【００１４】
記録部１４０は、画像形成部１５０を備えると共に、給紙部１６０と、搬送路１７０と、搬送ローラー１８１と、排出ローラー１８２と、胴内排出トレイ１９０とを備えている。排紙部である胴内排出トレイ１９０は、原稿読取部１２０と記録部１４０との間に形成された排紙空間１９１に設けられている。
【００１５】
給紙部１６０は、記録紙Ｐを収納する給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２が搬送部として機能し、記録紙Ｐが搬送される。給紙ローラー１６２によって搬送路１７０に繰り出された記録紙Ｐは、搬送ローラー１８１によって画像形成部１５０に搬送される。
【００１６】
画像形成部１５０は、感光体ドラム１５１と、帯電部１５２と、露光部１５３と、現像部１５４と、転写部１５５と、クリーニング部１５６と、定着部１５７とを備えている。露光部１５３は、レーザー装置やミラー等を備えた光学ユニットである。露光部１５３は、画像データに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットである。現像部１５４は、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１７】
画像形成部１５０によって記録が施された記録紙Ｐは、排出ローラー１８２に導かれて胴内排出トレイ１９０に印刷物として出力される。
【００１８】
図２には、画像形成装置１００の概略制御構成を示すブロック図が示されている。上述の操作パネル４、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、記憶部２と、画像処理部３とが接続されている。
【００１９】
記憶部２は、原稿読取部１２０によって原稿を読み取ることで取得された画像データが記憶される、半導体メモリやＨＤＤ（Hard Disk Drive）等の記憶手段である。
【００２０】
画像処理部３は、画像データに対して所定の画像処理を行う手段である。画像処理部３では、例えば、拡大縮小処理や、濃度調整、階調調整等の画像改善処理が行われる。
【００２１】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、装置全体の制御を行う。
【００２２】
また、制御部１は、原稿読取部１２０を介して読み取った原稿を電子ファイルの一例であるＰＤＦ文書に変換するＰＤＦ変換処理部１１として機能する。原稿読取部１２０を介して読み取られた原稿は、ＰＤＦ文書ではなく、Ｗｏｒｄ（登録商標）文書等の電子ファイルに変換されてもよい。また、ＰＤＦ変換処理部１１は、白紙除去処理部１１１と挿入ページ受付部１１２と白紙復元処理部１１３とを有している。
【００２３】
白紙除去処理部１１１は、白紙原稿の除去設定がされている場合に、読み取った原稿の各ページが白紙であるか否かを判定し、白紙ページがあった場合に、原稿から白紙ページを除いてＰＤＦ文書に変換する機能を有している。挿入ページ受付部１１２は、白紙除去処理部１１１により白紙と判定されたページのうち、ＰＤＦ文書を構成するいずれかのページ間に挿入して復元するページの指定を受け付ける機能を有している。また、白紙復元処理部１１３は、挿入ページ受付部１１２が受け付けたページが白紙判定ページであるか照合し、白紙判定ページである場合にそのページをＰＤＦ文書を構成するいずれかのページ間に挿入して復元する機能を有している。
【００２４】
具体的に図３、図４を参照して、ＰＤＦ変換処理部１１の処理の流れを説明する。
【００２５】
まず、図３に示すように、ＰＤＦ変換処理部１１は、セットされた原稿の各ページを読み取る（ステップｓ１１）。つづいて、ＰＤＦ変換処理部１１は、白紙原稿の除去設定がされているか否かを判定する（ステップｓ１２）。白紙原稿の除去設定は、例えば操作パネル４やプリンタードライバーを介してユーザーが設定可能である。
【００２６】
白紙原稿の除去設定がされていない場合（ステップｓ１２でＮｏ）、ＰＤＦ変換処理部１１は、読み取ったページ画像群をＰＤＦ文書に変換し（ステップｓ１３）、ＰＤＦ文書を作成した旨を通知して（ステップｓ１４）、本処理を終了する。
【００２７】
一方、白紙原稿の除去設定がされている場合（ステップｓ１２でＹｅｓ）、ＰＤＦ変換処理部１１の白紙除去処理部１１１は、原稿の各ページ画像を白紙ページ画像か原稿ページ画像かに分類する（ステップｓ１５）。例えば、白紙除去処理部１１１は、原稿のページ毎にページ内の黒画素の割合に基づいて白紙か否かを判定し、白紙である場合に白紙ページ画像に分類し、白紙でない場合に原稿ページ画像に分類してもよい。また、白紙除去処理部１１１は、原稿のページ毎に各ページの輝度値に基づいて白紙か否かを判定してもよい。白紙除去処理部１１１は、各ページ画像の分類を終えると、白紙でないと判定した原稿ページ画像群をＰＤＦ文書に変換する（ステップｓ１６）。
【００２８】
つづいて、白紙除去処理部１１１は、白紙と判定したページがあったか否かを判定し（ステップｓ１７）、白紙と判定したページがなかった場合（ステップｓ１７でＮｏ）、ＰＤＦ文書を作成した旨を通知して（ステップｓ１４）、本処理を終了する。
【００２９】
一方、白紙と判定したページがあった場合（ステップｓ１７でＹｅｓ）、白紙除去処理部１１１は、白紙と判定したページの画像である白紙ページ画像と白紙ページ画像の原稿ページ番号と作成したＰＤＦ文書の各ページの原稿ページ番号とを関連づけて、白紙リカバリー情報として記憶部２に保存する（ステップｓ１８）。
【００３０】
つづいて、図４に示すように、白紙除去処理部１１１は、白紙ページを除いてＰＤＦ文書を作成した旨と白紙と判定したページの原稿ページ番号を通知する（ステップｓ１９）。例えば、図５に示すように、操作パネル４には、「白紙ページを除いてＰＤＦ文書を作成しました。原稿の５、８、１６、１７ページ目を白紙としました。確認してください。白紙でない場合、復元したいページをセットして白紙ページリカバリーボタンを押してください。これでよければ、確定ボタンを押してください。」といったメッセージとともに、「白紙ページリカバリー」ボタンＢ８１と「確定」ボタンＢ８２とが表示される。ユーザーは、メッセージに従って、白紙と判定されたページを確認する。文字等の記載があるにも関わらず白紙と誤判定されたページがあった場合、ユーザーは、誤判定されたページのみを原稿読取部１２０に再セットして、「白紙ページリカバリー」ボタンＢ８１を押し、誤判定されたページがなかった場合、「確定」ボタンＢ８２を押す。
【００３１】
つづいて、ＰＤＦ変換処理部１１の白紙復元処理部１１３は、「白紙ページリカバリー」ボタンＢ８１が押下されたか否かを判定する（ステップｓ２０）。「白紙ページリカバリー」ボタンＢ８１が押下されなかった場合は（ステップｓ２０でＮｏ）、「確定」ボタンＢ８２が押下されたか否かが判定され（ステップｓ２１）、「白紙ページリカバリー」ボタンＢ８１も「確定」ボタンＢ８２も押下されなかった場合には（ステップｓ２１でＮｏ）、ステップｓ２０に処理が戻る。「確定」ボタンＢ８２が押下された場合には（ステップｓ２１でＹｅｓ）、白紙復元処理部１１３は、保存された白紙リカバリー情報を削除して（ステップｓ３０）、本処理を終了する。
【００３２】
「白紙ページリカバリー」ボタンＢ８１が押された場合（ステップｓ２０でＹｅｓ）、白紙復元処理部１１３は、ユーザーによってセットされた原稿ページ（ユーザーが復元を希望するページ）の再読み取りを行う（ステップｓ２２）。つづいて、白紙復元処理部１１３は、再読み取りにより取得したページ画像と保存した白紙リカバリー情報における白紙ページ画像とを照合し（ステップｓ２３）、ページ画像と保存された白紙ページ画像とが一致したか否かを判定する（ステップｓ２４）。なお、復元を希望するページの原稿ページ番号をユーザーに指定させてもよいが、復元を希望するページの原稿を再セットさせて再読み取りすることによって復元を希望するページの指定を受け付けることで、操作ミス等によるページの指定間違いを防止することができる。
【００３３】
再読み取りしたページ画像と白紙ページ画像とが一致しなかった場合（ステップｓ２４でＮｏ）、白紙復元処理部１１３は、例えば「白紙と判定したページではありません」等のエラーを通知し（ステップｓ２５）、ステップｓ２８に処理を進める。
【００３４】
一方、再読み取りしたページ画像と保存された白紙ページ画像とが一致した場合（ステップｓ２４でＹｅｓ）、白紙復元処理部１１３は、一致した白紙ページ画像の原稿ページ番号とＰＤＦ文書の各ページの原稿ページ番号とに基づいて、再読み取りしたページ画像をＰＤＦに変換してＰＤＦ文書を構成するページ間に挿入する位置を決定する（ステップｓ２６）。なお、一致した白紙ページ画像が複数あった場合、白紙復元処理部１１３は、再読み取りしたページ画像の原稿ページ番号をユーザーに入力させ、入力された原稿ページ番号に対応する白紙ページ画像と再読み取りしたページ画像とが一致したものとして処理するようにしてもよい。
【００３５】
つづいて、白紙復元処理部１１３は、読み取ったページ画像をＰＤＦに変換して、ＰＤＦ文書を構成するページ間に挿入し（ステップｓ２７）、次のページがあるか否かを判定する（ステップｓ２８）。次のページがある場合には（ステップｓ２８でＹｅｓ）、ステップｓ２２からステップｓ２８までの処理が繰り返される。
【００３６】
次のページがなくなると（ステップｓ２８でＮｏ）、白紙復元処理部１１３は、再読み取りしたページをＰＤＦ文書に戻した旨を通知し（ステップｓ２９）、保存された白紙リカバリー情報を削除して（ステップｓ３０）、本処理を終了する。
【００３７】
このように、本実施形態では、原稿から白紙ページを除いてＰＤＦ文書に変換した場合において、白紙と判定されて原稿から除かれてしまったページのうち、ユーザーの所望のページをＰＤＦ文書に挿入して復元することができる。
【００３８】
具体的には、本実施形態では、白紙除去処理部１１１により、原稿から白紙ページを除いてＰＤＦ文書に変換した際に、白紙と判定したページ画像とその原稿ページ番号とＰＤＦ文書の各ページの原稿ページ番号とを関連づけて白紙リカバリー情報として保存している。そのため、ユーザーがＰＤＦ文書に挿入したい原稿ページだけをセットして「白紙ページリカバリー」ボタンＢ８１を押すと、再セットされた原稿ページが再び読み取られ、読み取られたページ画像と保存されたページ画像とが照合される。そして、一致した白紙ページ画像の原稿ページ番号とＰＤＦ文書の各ページの原稿ページ番号とに基づいて、読み取られたページ画像がＰＤＦに変換され自動的にＰＤＦ文書を構成するページ間に挿入される。そのため、ユーザーは、白紙原稿除去設定を解除して、ＰＤＦ文書を再作成し直さなくても、白紙と判定され除かれたページのうち、ＰＤＦ文書に含ませたいページのみを再度読み取らせることで、そのページが含まれたＰＤＦ文書を作成することができる。また、その際に、ユーザーがページを挿入する位置を指定しなくても、自動的に挿入位置が判断されるので、ユーザーの負担を軽減することができる。また、白紙復元処理部１１３は、白紙判定ページをＰＤＦに挿入する必要がなかったり、再読み取りしたページをＰＤＦ文書に挿入し終えたりすると、不要になった白紙リカバリー情報を削除するので、記憶領域を有効活用することができる。
【００３９】
本発明は上述した実施の形態に限定されるものではなく、本発明の趣旨を逸脱しない範囲で種々様々に変更が可能であることは言うまでもない。
【００４０】
例えば、上記処理では、再読み取りしたページ画像をＰＤＦに変換してＰＤＦ文書を構成するページ間に挿入したが、再読み取りしたページの原稿がＰＤＦに変換されて挿入されればよく、例えば、保存された白紙判定ページ画像のうち、再読み取りしたページ画像と一致した白紙判定ページ画像がＰＤＦに変換されて挿入されてもよい。
【符号の説明】
【００４１】
１  制御部
２  記憶部
３  画像処理部
４  操作パネル
１１  ＰＤＦ変換処理部
４１  タッチパネル
４２  操作ボタン
１００  画像形成装置
１１１  白紙除去処理部
１１２  挿入ページ受付部
１１３  白紙復元処理部
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２  排出ローラー
１９０  胴内排出トレイ
１９１  排紙空間
Ｂ８１、Ｂ８２  ボタン
【図１】
2016051969.tif 000003
【図２】
2016051969.tif 000004
【図３】
2016051969.tif 000005
【図４】
2016051969.tif 000006
【図５】
2016051969.tif 000007